【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
プロセッサが実行する方法において、
コンテンツにアクセスする要求クライアントからユニークパーシステント統一名称識別子の要求を受信し、ここで、前記要求はコンテンツのアクセスと当該コンテンツに埋め込まれたコードから誘起され、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
ユニークパーシステント統一名称識別子メニュー仕様が存在すればそれを取得し、
ユニークパーシステント統一名称識別子ディレクトリからユニークパーシステント統一名称識別子記録情報を取得し、
ユニークパーシステント統一名称識別子メニュー仕様を入手できなければユニークパーシステント統一名称識別子ディレクトリのメタデータから生成し、
前記ユニークパーシステント統一名称識別子メニュー仕様をユニークパーシステント統一名称識別子シンジケーターの前記ユニークパーシステント統一名称識別子ディレクトリに格納し、
ユニークパーシステント統一名称識別子メニュー仕様からユニークパーシステント統一名称識別子メニューを生成し、前記ユニークパーシステント統一名称識別子メニュー仕様は、ユニークパーシステント統一名称識別子メニューを形成するユニークパーシステント統一名称識別子記録情報からのバリューを特定するのに使用されることを特徴とする方法。
【請求項２】
プロセッサが実行する方法において、
コンテンツにアクセスする要求クライアントからユニークパーシステント統一名称識別子の要求を受信し、ここで、前記要求はコンテンツのアクセスから誘起され、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
ユニークパーシステント統一名称識別子メニュー仕様を取得し、
ユニークパーシステント統一名称識別子ディレクトリからユニークパーシステント統一名称識別子記録情報を取得し、
ユニークパーシステント統一名称識別子メニュー仕様からユニークパーシステント統一名称識別子メニューを生成し、前記ユニークパーシステント統一名称識別子メニュー仕様は、ユニークパーシステント統一名称識別子メニューを形成するユニークパーシステント統一名称識別子記録情報からのバリューを特定するのに使用されることを特徴とする方法。
【請求項３】
データベースは多数の広告プロバイダーからのメニュー仕様を変更し、各広告プロバイダーは、それ自身の広告者に対して異なるメニュー仕様を提供することができることを特徴とする請求項２に記載の方法。
【請求項４】
広告者は、ユニークパーシステント統一名称識別子多重識別子のスポンサーになることができることを特徴とする請求項３に記載の方法。
【請求項５】
ユニークパーシステント統一名称識別子は、インターリンクされた他のユニークパーシステント統一名称識別子メニューを有することができることを特徴とする請求項３に記載の方法。
【請求項６】
スポンサーのあるユニークパーシステント統一名称識別子メニューを表示するために広告費用が課されることを特徴とする請求項３に記載の方法。
【請求項７】
ユニークパーシステント統一名称識別子メニューに対するコードを生成することを更に有することを特徴とする請求項２に記載の方法。
【請求項８】
前記ターゲットコンテンツアセットに関するメタデータ情報がユニークパーシステント統一名称識別子ディレクトリ記録に格納されることを特徴とする請求項２に記載の方法。
【請求項９】
前記ユニークパーシステント統一名称識別子は、人間を表すことを特徴とする請求項２に記載の方法。
【請求項１０】
前記ユニークパーシステント統一名称識別子は、人間の様々な側面を表す多重識別子コンポーネントを有することを特徴とする請求項９に記載の方法。
【請求項１１】
前記ユニークパーシステント統一名称識別子は、多重識別子コンポーネントへのアクセスを制限するアクセス制御を有することを特徴とする請求項１０に記載の方法。
【請求項１２】
前記ユニークパーシステント統一名称識別子は、ＲＦＩＤを表すことを特徴とする請求項２に記載の方法。
【請求項１３】
前記ユニークパーシステント統一名称識別子ディレクトリは、グローバルディレクトリであることを特徴とする請求項２に記載の方法。
【請求項１４】
前記要求は、当該コンテンツに埋め込まれたコードから誘起されることを特徴とする請求項２に記載の方法。
【請求項１５】
前記ユニークパーシステント統一名称識別子メニュー仕様は、ユニークパーシステント統一名称識別子ディレクトリから取得されることを特徴とする請求項２に記載の方法。
【請求項１６】
前記ユニークパーシステント統一名称識別子メニュー仕様は、ユニークパーシステント統一名称識別子シンジケーターから取得されることを特徴とする請求項２に記載の方法。
【請求項１７】
ユニークパーシステント統一名称識別子メニュー仕様を、それが入手不可能であれば、生成することを特徴とする請求項２に記載の方法。
【請求項１８】
前記ユニークパーシステント統一名称識別子メニュー仕様は、ユニークパーシステント統一名称識別子ディレクトリにおいてメタデータから生成されることを特徴とする請求項１７に記載の方法。
【請求項１９】
前記ユニークパーシステント統一名称識別子メニュー仕様を格納することを更に有することを特徴とする請求項１７に記載の方法。
【請求項２０】
前記ユニークパーシステント統一名称識別子メニュー仕様がユニークパーシステント統一名称識別子ディレクトリに格納されることを特徴とする請求項１９に記載の方法。
【請求項２１】
前記ユニークパーシステント統一名称識別子メニュー仕様がユニークパーシステント統一名称識別子シンジケーターに格納されることを特徴とする請求項１９に記載の方法。
【請求項２２】
前記ユニークパーシステント統一名称識別子メニューを前記要求クライアントに提供することを特徴とする請求項２に記載の方法。
【請求項２３】
コンテンツトラバースに応答して前記ユニークパーシステント統一名称識別子メニューを前記要求クライアントに表示することを特徴とする請求項２２に記載の方法。
【請求項２４】
前記メニューは、前記クライアントは広告でトラバースすると表示されることを特徴とする請求項２２に記載の方法。
【請求項２５】
前記メニューは、スポンサーのある検索エンジンクエリー結果に対して表示されることを特徴とする請求項２２に記載の方法。
【請求項２６】
前記要求クライアントのメニューナビゲーションに応答してユニークパーシステント統一名称識別子メニュートラバースを表示することを更に有することを特徴とする請求項２２に記載の方法。
【請求項２７】
前記ユニークパーシステント統一名称識別子メニューにおいてメニューアイテムのクライアント選択に応答してターゲット選択にトラバースすることを更に有することを特徴とする請求項２６に記載の方法。
【請求項２８】
プロセッサが実行する方法において、
ユニークパーシステント統一名称識別子ディレクトリからユニークパーシステント統一名称識別子記録情報を取得し、ここで、前記ユニークパーシステント統一名称識別子はターゲットコンテンツアセットを識別し、ユニークパーシステント統一名称識別子はターゲットコンテンツアセットに関係するコンテンツアイテムへの多重レファレンスを有する多重識別子であり、
ユニークパーシステント統一名称識別子記録の階層構造に基づいてメニュー仕様を生成し、ここで、ユニークパーシステント統一名称識別子記録の第１レベル階層バリューは前記メニュー仕様のネストされたレベルを記述及び形成し、
ユニークパーシステント統一名称識別子メニュー仕様を格納し、前記ユニークパーシステント統一名称識別子はユニークパーシステント統一名称識別子シンジケーターに格納され、
前記ユニークパーシステント統一名称識別子メニュー仕様からユニークパーシステント統一名称識別子メニューを生成し、前記ユニークパーシステント統一名称識別子メニュー仕様は前記ユニークパーシステント統一名称識別子メニューを形成するユニークパーシステント統一名称識別子記録情報からのバリューを特定するのに使用されることを特徴とする請求項３５に記載の方法。
【請求項２９】
プロセッサが実行する方法において、
ユニークパーシステント統一名称識別子ディレクトリからユニークパーシステント統一名称識別子記録情報を取得し、ここで、前記ユニークパーシステント統一名称識別子はターゲットコンテンツアセットを識別し、前記ユニークパーシステント統一名称識別子はターゲットコンテンツアセットに関係するコンテンツアイテムへの多重レファレンスを有する多重識別子であり、
ユニークパーシステント統一名称識別子記録の階層構造に基づいてメニュー仕様を生成することを特徴とする方法。
【請求項３０】
データベースは、多数の広告プロバイダーからのメニュー仕様を変更し、各広告プロバイダーは、それ自身の広告者に対して異なるメニュー仕様を提供することができることを特徴とする請求項２９に記載の方法。
【請求項３１】
広告者は、ユニークパーシステント統一名称識別子多重識別子のスポンサーになることができることを特徴とする請求項３０に記載の方法。
【請求項３２】
ユニークパーシステント統一名称識別子は、インターリンクされた他のユニークパーシステント統一名称識別子メニューを有することができることを特徴とする請求項３０に記載の方法。
【請求項３３】
前記ユニークパーシステント統一名称識別子メニューに対するコードを生成することを更に有することを特徴とする請求項２に記載の方法。
【請求項３４】
前記ターゲットコンテンツアセットに関するメタデータ情報がユニークパーシステント統一名称識別子ディレクトリ記録に格納されることを特徴とする請求項２９に記載の方法。
【請求項３５】
前記ユニークパーシステント統一名称識別子は、人間の様々な側面を表す多重識別子コンポーネントを有することを特徴とする請求項２９に記載の方法。
【請求項３６】
ユニークパーシステント統一名称識別子記録の第１レベル階層バリューは、前記メニュー仕様のルートレベルを記述及び形成することを特徴とする請求項２９に記載の方法。
【請求項３７】
前記ユニークパーシステント統一名称識別子記録の後発ネスト階層バリューは、前記メニュー仕様のネストレベルを記述及び形成することを特徴とする請求項３６に記載の方法。
【請求項３８】
前記ユニークパーシステント統一名称識別子メニュー仕様を格納することを更に有することを特徴とする請求項２９に記載の方法。
【請求項３９】
前記ユニークパーシステント統一名称識別子メニュー仕様は、ユニークパーシステント統一名称識別子ディレクトリに格納されることを特徴とする請求項３８に記載の方法。
【請求項４０】
前記ユニークパーシステント統一名称識別子は、イントラネットとして機能することを特徴とする請求項３９に記載の方法。
【請求項４１】
前記ユニークパーシステント統一名称識別子ディレクトリは、グローバルディレクトリであることを特徴とする請求項３９に記載の方法。
【請求項４２】
前記ユニークパーシステント統一名称識別子メニュー仕様は、ユニークパーシステント統一名称識別子シンジケーターに格納されることを特徴とする請求項３８に記載の方法。
【請求項４３】
前記ユニークパーシステント統一名称識別子メニュー仕様は、前記ユニークパーシステント統一名称識別子記録情報における第１の階層レベルに格納されることを特徴とする請求項３８に記載の方法。
【請求項４４】
前記メニュー仕様は、仕様として使用されて更なるメニュー仕様生成を防止する表示と共に格納されることを特徴とする請求項４３に記載の方法。
【請求項４５】
前記表示は、メニュー仕様の存在を知らせるブーリアン真値であることを特徴とする請求項４４に記載の方法。
【請求項４６】
ユニークパーシステント統一名称識別子記録の階層構造は、メニュー仕様の一部であるものを表すフィールド毎のフィールドバリューであることを特徴とする請求項２９に記載の方法。
【請求項４７】
ユニークパーシステント統一名称識別子記録の階層構造は、そのアクセス制御権を表すフィールド毎のフィールドバリューであることを特徴とする請求項２９に記載の方法。
【請求項４８】
前記ユニークパーシステント統一名称識別子メニュー仕様からユニークパーシステント統一名称識別子メニューを生成することを更に有することを特徴とする請求項２９に記載の方法。
【請求項４９】
前記ユニークパーシステント統一名称識別子メニュー仕様は、前記ユニークパーシステント統一名称識別子メニューを形成するユニークパーシステント統一名称識別子記録情報からバリューを特定するのに使用されることを特徴とする請求項４８に記載の方法。
【請求項５０】
前記ユニークパーシステント統一名称識別子メニューを要求クライアントに提供することを更に有することを特徴とする請求項２９に記載の方法。
【請求項５１】
要求クライアントに、コンテンツトラバースに応答して前記ユニークパーシステント統一名称識別子メニューを表示することを特徴とする請求項５０に記載の方法。
【請求項５２】
前記メニューは、前記クライアントが広告でトラバースすると表示されることを特徴とする請求項５１に記載の方法。
【請求項５３】
前記要求クライアントのメニューナビゲーションに応答するユニークパーシステント統一名称識別子メニュートラバースを表示することを更に有することを特徴とする請求項５０に記載の方法。
【請求項５４】
前記ユニークパーシステント統一名称識別子メニューにおいてメニューアイテムのクライアント選択に応答してターゲット選択にトラバースすることを更に有することを特徴とする請求項５３に記載の方法。
【請求項５５】
プロセッサが実行する方法において、
メタデータフィールドとバリューを取得し、
ユニークパーシステント統一名称識別子メニュー仕様を存在すれば取得し、
入手不能であれば、前記メタデータフィールド及びバリューからユニークパーシステント統一名称識別子メニュー仕様を生成し、
メタデータフィールドを前記メニュー仕様におけるフィールドに照合し、
照合されたフィールド及びフィールドバリューに基づいて前記メタデータを検索し、
前記照合されたフィールド及びフィールドバリューに基づいてターゲットレファレンスを形成し、
ユニークパーシステント統一名称識別子ディレクトリにおけるユニークパーシステント統一名称識別子記録に前記ターゲットレファレンスを格納することを特徴とする方法。
【請求項５６】
前記メタデータフィールド及びバリューは、イントラ接続されたシステムから取得されることを特徴とする請求項５５に記載の方法。
【請求項５７】
前記メタデータフィールド及びバリューは、イントラ接続されたシステムに接続されたコネクタを介して取得されることを特徴とする請求項５６に記載の方法。
【請求項５８】
前記メタデータフィールド及びバリューは、イントラ接続されたシステムからのマスターメタデータ格納部から取得及び選択されることを特徴とする請求項５６に記載の方法。
【請求項５９】
メタデータ情報は前記ターゲットコンテンツアセットに関してユニークパーシステント統一名称識別子ディレクトリ記録に格納されることを特徴とする請求項５５に記載の方法。
【請求項６０】
前記ユニークパーシステント統一名称識別子ディレクトリは、グローバルディレクトリであることを特徴とする請求項５５に記載の方法。
【請求項６１】
前記ユニークパーシステント統一名称識別子をコンテンツに埋め込むことを更に有することを特徴とする請求項５５に記載の方法。
【請求項６２】
前記ターゲットコンテンツアセット及び前記ターゲットレファレンスへのリンクを有するユニークパーシステント統一名称識別子メニューを作成することを更に有することを特徴とする請求項５５に記載の方法。
【請求項６３】
前記ユニークパーシステント統一名称識別子メニューを前記要求クライアントに提供することを更に有することを特徴とする請求項６２に記載の方法。
【請求項６４】
コンテンツトラバースに応答して前記ユニークパーシステント統一名称識別子メニューを前記要求クライアントに表示することを更に有することを特徴とする請求項６３に記載の方法。
【請求項６５】
前記メニューは、前記クライアントは広告でトラバースすると表示されることを特徴とする請求項６４に記載の方法。
【請求項６６】
前記要求クライアントのメニューナビゲーションに応答するユニークパーシステント統一名称識別子メニュートラバースを表示することを更に有することを特徴とする請求項６３に記載の方法。
【請求項６７】
前記ユニークパーシステント統一名称識別子メニューにおいてメニューアイテムのクライアント選択に応答してターゲット選択にトラバースすることを更に有することを特徴とする請求項６６に記載の方法。
【請求項６８】
前記ユニークパーシステント統一名称識別子メニュー仕様を格納することをと更に有することを特徴とする請求項５５に記載の方法。
【請求項６９】
前記ユニークパーシステント統一名称識別子をコンテンツに埋め込むことを更に有することを特徴とする請求項６８に記載の方法。
【請求項７０】
前記ユニークパーシステント統一名称識別子メニュー仕様がユニークパーシステント統一名称識別子ディレクトリに格納されることを特徴とする請求項６８に記載の方法。
【請求項７１】
前記ユニークパーシステント統一名称識別子メニュー仕様がユニークパーシステント統一名称識別子シンジケーターに格納されることを特徴とする請求項６８に記載の方法。
【請求項７２】
プロセッサが実行する方法において、
ユニークパーシステント統一名称識別子とユニークパーシステント統一名称識別子メニューとの間の関係を確立し、ここで、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
前記ターゲットレファレンスを形成し、ここで、前記ターゲットレファレンスはユニークパーシステント統一名称識別子ディレクトリにおけるユニークパーシステント統一名称識別子記録に格納され、
前記ターゲットコンテンツアセットと前記ターゲットレファレンスへのリンクを有するユニークパーシステント統一名称識別子メニューを作成することを特徴とする方法。
【請求項７３】
前記ターゲットコンテンツアセットに関するメタデータ情報がユニークパーシステント統一名称識別子ディレクトリ記録に格納されることを特徴とする請求項７２に記載の方法。
【請求項７４】
前記ターゲットレファレンスを前記ユニークパーシステント統一名称識別子ディレクトリにおけるユニークパーシステント統一名称識別子記録に格納することを更に有することを特徴とする請求項７２に記載の方法。
【請求項７５】
前記確立された関係は、メニュー仕様に埋め込まれることを特徴とする請求項７２に記載の方法。
【請求項７６】
前記ユニークパーシステント統一名称識別子メニュー仕様を格納することを更に有することを特徴とする請求項７５に記載の方法。
【請求項７７】
ユニークパーシステント統一名称識別子メニュー仕様は、ユニークパーシステント統一名称識別子ディレクトリに格納されることを特徴とする請求項７６に記載の方法。
【請求項７８】
ユニークパーシステント統一名称識別子メニュー仕様は、ユニークパーシステント統一名称識別子シンジケーターに格納されることを特徴とする請求項７６に記載の方法。
【請求項７９】
前記ユニークパーシステント統一名称識別子メニューを前記要求クライアントに提供することを特徴とする請求項７２に記載の方法。
【請求項８０】
コンテンツトラバースに応答して前記ユニークパーシステント統一名称識別子メニューを前記要求クライアントに表示することを特徴とする請求項７９に記載の方法。
【請求項８１】
前記要求クライアントのメニューナビゲーションに応答するユニークパーシステント統一名称識別子メニュートラバースを表示することを更に有することを特徴とする請求項７９に記載の方法。
【請求項８２】
前記ユニークパーシステント統一名称識別子メニューにおいてメニューアイテムのクライアント選択に応答してターゲット選択にトラバースすることを更に有することを特徴とする請求項８１に記載の方法。
【請求項８３】
前記ユニークパーシステント統一名称識別子はイントラネットとして機能することを特徴とする請求項７２に記載の方法。
【請求項８４】
前記イントラネットは、ユニークパーシステント統一名称識別子をローカル資源に対して解決させ、グローバルディレクトリへの解決を防止することを特徴とする請求項８３に記載の方法。
【請求項８５】
プロセッサが実行する方法において、
ユニークパーシステント統一名称識別子ディレクトリからユニークパーシステント統一名称識別子記録情報を取得し、ここで、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
ユニークパーシステント統一名称識別子記録情報を表示し、
命令があれば、前記ユニークパーシステント統一名称識別子記録にフィールド及びバリューを追加し、
命令があれば、前記ユニークパーシステント統一名称識別子記録にフィールド及びバリューを削除し、
命令があれば、前記ユニークパーシステント統一名称識別子記録にフィールド及びバリューを変更し、
ユニークパーシステント統一名称識別子ディレクトリに、更新されたユニークパーシステント統一名称識別子記録情報を格納することを特徴とする方法。
【請求項８６】
更新されたユニークパーシステント統一名称識別子記録情報を、それが編集されると表示することを更に有することを特徴とする請求項８５に記載の方法。
【請求項８７】
前記更新されたユニークパーシステント統一名称識別子記録情報に基づいてユニークパーシステント統一名称識別子メニューを生成することを更に有することを特徴とする請求項８５に記載の方法。
【請求項８８】
プロセッサが実行する方法において、
ユニークパーシステント統一名称識別子のためのメニュー仕様の要求を受信し、ここで、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
前記メニュー仕様をデータベースで検索し、
前記データベースにおいて見つからなければ、ユニークパーシステント統一名称識別子ディレクトリにおいてメタデータからの前記ユニークパーシステント統一名称識別子に対してメニュー仕様を生成し、
前記メニュー仕様をもし生成された場合には前記データベースに格納し、
前記ユニークパーシステント統一名称識別子メニュー仕様からユニークパーシステント統一名称識別子メニューを生成し、ここで、前記ユニークパーシステント統一名称識別子メニュー仕様は、ユニークパーシステント統一名称識別子メニューを形成するユニークパーシステント統一名称識別子記録情報からのバリューを特定するのに使用され、
要求に応答して前記ユニークパーシステント統一名称識別子メニューを要求クライアントに提供することを特徴とする方法。
【請求項８９】
データベースは多数の広告プロバイダーからのメニュー仕様を変更し、各広告プロバイダーは、それ自身の広告者に対して異なるメニュー仕様を提供することができることを特徴とする請求項８８に記載の方法。
【請求項９０】
前記ユニークパーシステント統一名称識別子は、キーワードに関連付けられていることを特徴とする請求項８８に記載の方法。
【請求項９１】
ユニークパーシステント統一名称識別子は、インターリンクされた他のユニークパーシステント統一名称識別子メニューを有することができることを特徴とする請求項８９に記載の方法。
【請求項９２】
前記要求はコンテンツに埋め込まれたコードから誘起されることを特徴とする請求項８８に記載の方法。
【請求項９３】
要求クライアントに、コンテンツトラバースに応答して前記ユニークパーシステント統一名称識別子メニューを表示することを特徴とする請求項８８に記載の方法。
【請求項９４】
前記要求クライアントのメニューナビゲーションに応答してユニークパーシステント統一名称識別子メニュートラバースを表示することを更に有することを特徴とする請求項８８に記載の方法。
【請求項９５】
前記メニューは、前記クライアントは広告でトラバースすると表示されることを特徴とする請求項９４に記載の方法。
【請求項９６】
前記ユニークパーシステント統一名称識別子メニューにおいてメニューアイテムのクライアント選択に応答してターゲット選択にトラバースすることを更に有することを特徴とする請求項９４に記載の方法。
【請求項９７】
内部関連データ種類を有するデータ構造を埋め込む信号状態を有するプロセッサがアクセス可能な媒体であって、
ユニークパーシステント統一名称識別子と、
ターゲットコンテンツアセットへのレファレンスと、
前記ターゲットコンテンツアセットに関連するコンテンツアイテムへの多重レファレンスと、
メニュー仕様の一部であることを示すデータ種類毎のフィールドバリューと、を有し、正の表示は前記メニュー仕様の一部として使用されるデータ種類をもたらし、負の表示はデータ種類の無視をもたらすことを特徴とする媒体。
【請求項９８】
アクセス権を特定するデータ種類毎にアクセス制御フィールドバリューを更に有する請求項９７に記載の媒体。
【請求項９９】
メモリにおけるインターラクションインターフェースにおいて、
命令信号と、ここで、前記インターラクションインターフェースはユーザーとシステムイベント信号に応答し、前記命令信号は実施するのにプロセッサが発行可能で、
メタデータフィールドからのバリューとユニークパーシステント統一名称識別子からのバリューからの第１レベル階層メニューと、ここで、使用される前記フィールド及びバリューはメニュー仕様によって特定され、
入手可能であれば、メタデータフィールドからのバリューとユニークパーシステント統一名称識別子からのバリューからの後発ネストレベル階層メニューと、ここで、使用される前記フィールド及びバリューはメニュー仕様によって特定され、各後発ネストレベルメニューはその関連するより高いレベルのメニューから生まれ、
ターゲットコンテンツアセットに関連するコンテンツアイテムへのレファレンスと、ここで、コンテンツアイテムへのレファレンスは前記階層における端末レベルである各ネストレベル階層バリューに関連付けられ、非末端メニューは産まれた関連ネストメニューへのユーザー選択に応答し、末端メニューは前記レファレンスをナビゲートする命令信号を生成するためにユーザー選択に応答することを特徴とする媒体。
【請求項１００】
メニュー生成のシステムにおいて、
ユニークパーシステント統一名称識別子の要求を受信する手段と、ここで、前記要求はコンテンツのアクセスから誘起され、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
ユニークパーシステント統一名称識別子メニュー仕様を取得する手段と、
ユニークパーシステント統一名称識別子ディレクトリからユニークパーシステント統一名称識別子記録情報を取得する手段と、
ユニークパーシステント統一名称識別子メニュー仕様からユニークパーシステント統一名称識別子メニューを生成する手段と、を有し、ユニークパーシステント統一名称識別子メニュー仕様は、ユニークパーシステント統一名称識別子メニューを形成するユニークパーシステント統一名称識別子記録情報からのバリューを特定するのに使用されることを特徴とするシステム。
【請求項１０１】
仕様生成のシステムにおいて、
ユニークパーシステント統一名称識別子ディレクトリからユニークパーシステント統一名称識別子記録情報を取得する手段と、ここで、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
ユニークパーシステント統一名称識別子記録の階層構造に基づいてメニュー仕様を生成する手段と、
を有することを特徴とするシステム。
【請求項１０２】
レファレンスのシステムにおいて、
メタデータフィールドとバリューを取得する手段と、
ユニークパーシステント統一名称識別子メニュー仕様をもし存在すれば取得する手段と、
入手不能であれば、前記メタデータフィールド及びバリューからユニークパーシステント統一名称識別子メニュー仕様を生成する手段と、
メタデータフィールドを前記メニュー仕様におけるフィールドに照合する手段と、
前記照合されたフィールド及びフィールドバリューに基づいて前記メタデータを検索する手段と、
前記照合したフィールド及びフィールドバリューに基づいてターゲットレファレンスを形成する手段と、
ユニークパーシステント統一名称識別子ディレクトリにおけるユニークパーシステント統一名称識別子記録に前記ターゲットレファレンスを格納する手段と、
を有することを特徴とするシステム。
【請求項１０３】
レファレンスのシステムにおいて、
ユニークパーシステント統一名称識別子とユニークパーシステント統一名称識別子メニューとの間の関係を確立する手段と、ここで、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
前記ターゲットレファレンスを形成する手段と、ここで、ターゲットレファレンスはユニークパーシステント統一名称識別子ディレクトリにおけるユニークパーシステント統一名称識別子記録に格納され、
前記ターゲットコンテンツアセットと前記ターゲットレファレンスへのリンクを有するユニークパーシステント統一名称識別子メニューを作成する手段とを有することを特徴とするシステム。
【請求項１０４】
レファレンス編集のシステムにおいて、
ユニークパーシステント統一名称識別子ディレクトリからユニークパーシステント統一名称識別子記録情報を取得する手段と、ここで、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
ユニークパーシステント統一名称識別子記録情報を表示する手段と、
命令があれば、前記ユニークパーシステント統一名称識別子記録にフィールド及びバリューを追加する手段と、
命令があれば、前記ユニークパーシステント統一名称識別子記録にフィールド及びバリューを削除する手段と、
命令があれば、前記ユニークパーシステント統一名称識別子記録にフィールド及びバリューを変更する手段と、
ユニークパーシステント統一名称識別子ディレクトリに更新されたユニークパーシステント統一名称識別子記録情報を格納する手段と、
を有することを特徴とするシステム。
【請求項１０５】
レファレンス分配のシステムにおいて、
ユニークパーシステント統一名称識別子のためのメニュー仕様の要求を受信する手段と、ここで、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
前記メニュー仕様をデータベースで検索する手段と、
前記データベースにおいて見つからなければ、ユニークパーシステント統一名称識別子ディレクトリにおいてメタデータからの前記ユニークパーシステント統一名称識別子に対してメニュー仕様を生成する手段と、
前記メニュー仕様をもし生成された場合には前記データベースに格納する手段と、
前記ユニークパーシステント統一名称識別子メニュー仕様からユニークパーシステント統一名称識別子メニューを生成する手段と、ここで、前記ユニークパーシステント統一名称識別子メニュー仕様は、ユニークパーシステント統一名称識別子メニューを形成するユニークパーシステント統一名称識別子記録情報からのバリューを特定するのに使用され、
要求に応答して前記ユニークパーシステント統一名称識別子メニューを要求クライアントに提供する手段と、
を有することを特徴とするシステム。
【請求項１０６】
インターリンク決定のシステムにおいて、
比較に基づいてターゲットユニークパーシステント統一名称識別子を取得する手段と、ここで、前記ユニークパーシステント統一名称識別子はターゲットコンテンツアセットを識別し、
ウェブサイトをインデックスクロールしながらターゲットユニークパーシステント統一名称識別子を発見されたユニークパーシステント統一名称識別子と比較する手段と、
ユニークパーシステント統一名称識別子と発見されたユニークパーシステント統一名称識別子との間の照合数と非照合数に着目することによってターゲットユニークパーシステント統一名称識別子のインターリンク度を決定する手段と、
を有することを特徴とするシステム。
【請求項１０７】
メニューを生成する装置において、
メモリと、
前記メモリと通信するように配置され、前記メモリに格納された複数の処理命令を発行するように構成されたプロセッサと、ここで、前記命令は信号を生成し、
当該信号は、
コンテンツにアクセスする要求クライアントからユニークパーシステント統一名称識別子の要求を受信し、ここで、前記要求はコンテンツのアクセスと当該コンテンツに埋め込まれたコードから誘起され、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
ユニークパーシステント統一名称識別子メニュー仕様を取得し、
ユニークパーシステント統一名称識別子ディレクトリからユニークパーシステント統一名称識別子記録情報を取得し、
ユニークパーシステント統一名称識別子メニュー仕様からユニークパーシステント統一名称識別子メニューを生成し、ユニークパーシステント統一名称識別子メニュー仕様は、ユニークパーシステント統一名称識別子メニューを形成するユニークパーシステント統一名称識別子記録情報からのバリューを特定するのに使用されることを特徴とする装置。
【請求項１０８】
メニューを生成する装置において、
メモリと、
前記メモリと通信するように配置され、前記メモリに格納された複数の処理命令を発行するにように構成されたプロセッサと、ここで、前記命令は信号を生成し、
当該信号は、
ユニークパーシステント統一名称識別子ディレクトリからユニークパーシステント統一名称識別子記録情報を取得し、ここで、前記ユニークパーシステント統一名称識別子はターゲットコンテンツアセットを識別し、前記ユニークパーシステント統一名称識別子はターゲットコンテンツアセットに関係するコンテンツアイテムへの多重レファレンスを有する多重識別子であり、
ユニークパーシステント統一名称識別子記録の階層構造に基づいてメニュー仕様を生成することを特徴とする装置。
【請求項１０９】
メニューを生成する装置において、
メモリと、
前記メモリと通信するように配置され、前記メモリに格納された複数の処理命令を発行するにように構成されたプロセッサと、ここで、前記命令は信号を生成し、
当該信号は、
メタデータフィールドとバリューを取得し、
ユニークパーシステント統一名称識別子メニュー仕様をもしそれが存在すれば取得し、
入手不能であれば、前記メタデータフィールド及びバリューからユニークパーシステント統一名称識別子メニュー仕様を生成し、
メタデータフィールドを前記メニュー仕様におけるフィールドに照合し、
照合されたフィールド及びフィールドバリューに基づいて前記メタデータを検索し、
前記照合されたフィールド及びフィールドバリューに基づいてターゲットレファレンスを形成し、
ユニークパーシステント統一名称識別子ディレクトリにおけるユニークパーシステント統一名称識別子記録に前記ターゲットレファレンスを格納することを特徴とする装置。
【請求項１１０】
メニューを生成する装置において、
メモリと、
前記メモリと通信するように配置され、前記メモリに格納された複数の処理命令を発行するにように構成されたプロセッサと、ここで、前記命令は信号を生成し、
当該信号は、
ユニークパーシステント統一名称識別子とユニークパーシステント統一名称識別子メニューとの間の関係を確立し、ここで、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
前記ターゲットレファレンスを形成し、ここで、ターゲットレファレンスはユニークパーシステント統一名称識別子ディレクトリにおけるユニークパーシステント統一名称識別子記録に格納され、
前記ターゲットコンテンツアセットと前記ターゲットレファレンスへのリンクを有するユニークパーシステント統一名称識別子メニューを作成することを特徴とする装置。
【請求項１１１】
レファレンスを編集する装置において、
メモリと、
前記メモリと通信するように配置され、前記メモリに格納された複数の処理命令を発行するにように構成されたプロセッサと、ここで、前記命令は信号を生成し、
当該信号は、
ユニークパーシステント統一名称識別子ディレクトリからユニークパーシステント統一名称識別子記録情報を取得し、ここで、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
ユニークパーシステント統一名称識別子記録情報を表示し、
命令があれば、前記ユニークパーシステント統一名称識別子記録にフィールド及びバリューを追加し、
命令があれば、前記ユニークパーシステント統一名称識別子記録にフィールド及びバリューを削除し、
命令があれば、前記ユニークパーシステント統一名称識別子記録にフィールド及びバリューを変更し、
ユニークパーシステント統一名称識別子ディレクトリに更新されたユニークパーシステント統一名称識別子記録情報を格納することを特徴とする装置。
【請求項１１２】
レファレンスを分配する装置において、
メモリと、
前記メモリと通信するように配置され、前記メモリに格納された複数の処理命令を発行するにように構成されたプロセッサと、ここで、前記命令は信号を生成し、
当該信号は、
ユニークパーシステント統一名称識別子のためのメニュー仕様の要求を受信し、ここで、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
前記メニュー仕様をデータベースで検索し、
前記データベースにおいて見つからなければ、ユニークパーシステント統一名称識別子ディレクトリにおいてメタデータからの前記ユニークパーシステント統一名称識別子に対してメニュー仕様を生成し、
前記メニュー仕様をもし生成された場合には前記データベースに格納し、
前記ユニークパーシステント統一名称識別子メニュー仕様からユニークパーシステント統一名称識別子メニューを生成し、ここで、前記ユニークパーシステント統一名称識別子メニュー仕様は、ユニークパーシステント統一名称識別子メニューを形成するユニークパーシステント統一名称識別子記録情報からのバリューを特定するのに使用され、
要求に応答して前記ユニークパーシステント統一名称識別子メニューを要求クライアントに提供することを特徴とする装置。
【請求項１１３】
インターリンクを決定する装置において、
メモリと、
前記メモリと通信するように配置され、前記メモリに格納された複数の処理命令を発行するにように構成されたプロセッサと、ここで、前記命令は信号を生成し、
当該信号は、
比較に基づいてターゲットユニークパーシステント統一名称識別子を取得し、ここで、前記ユニークパーシステント統一名称識別子はターゲットコンテンツアセットを識別し、
ウェブサイトをインデックスクロールしながらターゲットユニークパーシステント統一名称識別子を発見されたユニークパーシステント統一名称識別子と比較し、
ユニークパーシステント統一名称識別子と発見されたユニークパーシステント統一名称識別子との間の照合数と非照合数に着目することによってターゲットユニークパーシステント統一名称識別子のインターリンク度を決定することを特徴とする装置。
【請求項１１４】
各メニューアイテムがレファレンスターゲット識別子を有するメニューアイテムの初期階層を作成し、ここで、メニューアイテムは複合媒体を含んでもよく、メニューアイテムはバックエンドサーバーからの情報を含んでもよく、前記メニューアイテムは購入を有効にするリンクであり、前記メニューアイテムの階層は広告によって引き起こされ、
メニュー閲覧者が検討するために前記初期階層を分配し、
前記初期階層のレファレンスターゲット識別子と関連メニューアイテム情報が有効であることを検証し、
前記初期階層の前記メニュー閲覧者の使用の追跡を有効にし、ここで、追跡はメニューアイテムによって作られる幾つかのインプレッションを含み、追跡はメニューアイテムが選択される回数を含み、
使用の追跡に基づいて前記初期階層において前記メニューアイテムを変更し、変更はより人気のあるメニューアイテムをより目立つように配列することを含み、変更は効力を増加するためにメニューアイテムを配置することを含むことを特徴とする方法。
【請求項１１５】
各メニューアイテムがレファレンスターゲット識別子を有するメニューアイテムの初期階層を作成し、
メニュー閲覧者が検討するために前記初期階層を分配し、
前記初期階層のメニュー閲覧者の使用表示を取得し、
前記使用の表示に基づいて前記初期階層において前記メニューアイテムを変更することを含むことを特徴とする方法。
【請求項１１６】
メニューアイテムは複合媒体を含むことできることを特徴とする請求項１１５に記載の方法。
【請求項１１７】
前記メニューアイテムの階層はバナー広告によって引き起こされることを特徴とする請求項１１５に記載の方法。
【請求項１１８】
前記メニューアイテムの階層はスポンサー広告リンクによって引き起こされることを特徴とする請求項１１５に記載の方法。
【請求項１１９】
前記閲覧者の使用表示はユーザーの購入行為を含むことを特徴とする請求項１１５に記載の方法。
【請求項１２０】
前記閲覧者の使用表示は独立して記録されるユーザーの嗜好情報を含むことを特徴とする請求項１１５に記載の方法。
【請求項１２１】
前記閲覧者の使用表示はユーザーの範疇に関連付けられた、独立して記録されるユーザーの嗜好情報を含むことを特徴とする請求項１１５に記載の方法。
【請求項１２２】
前記閲覧者の使用表示は前記メニューをホストするサイトによって記録されるメトリックスを含むことを特徴とする請求項１１５に記載の方法。
【請求項１２３】
変更は、より人気のあるメニューアイテムをより目立つように配置することを含むことを特徴とする請求項１１５に記載の方法。
【請求項１２４】
より目立つようにすることは、メニュー階層におけるより高い配置、メニュー階層の層内におけるより高い配置のうちのいかなるものをも含むことを特徴とする請求項１１５に記載の方法。
【請求項１２５】
プロセッサが実行する方法において、
コンテンツにアクセスする要求クライアントからユニークパーシステント統一名称識別子の要求を受信し、ここで、前記要求はコンテンツのアクセスから誘起され、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
ユニークパーシステント統一名称識別子メニュー仕様を取得し、
ユニークパーシステント統一名称識別子ディレクトリからユニークパーシステント統一名称識別子記録情報を取得し、
前記ユニークパーシステント統一名称識別子メニュー仕様からメニューアイテムのユニークパーシステント統一名称識別子階層を生成し、ここで、前記ユニークパーシステント統一名称識別子メニュー仕様は前記ユニークパーシステント統一名称識別子メニューを形成するユニークパーシステント統一名称識別子記録情報からのバリューを特定するのに使用され、メニューアイテムは複合媒体を含んでもよく、メニューアイテムはバックエンドサーバーからの情報を含んでもよく、前記メニューアイテムは購入を有効にするリンクであり、
前記メニューアイテムの階層は広告によって引き起こされ、
前記ユニークパーシステント統一名称識別子メニューのレファレンスターゲット識別子と関連メニューアイテム情報が有効であることを検証し、
エンドユーザーからユニークパーシステント統一名称識別子メニュー仕様の追跡を有効にし、追跡はメニューアイテムによって作られた幾つかのインプレッションを含み、追跡はメニューアイテムが選択された回数を含み、
前記使用の追跡に基づいてユニークパーシステント統一名称識別子メニューアイテムを変更し、変更はより人気のあるメニューアイテムをより目立つように配置することを含み、変更は効率を増加するためにメニューアイテムを配置することを含むことを特徴とする方法。
【請求項１２６】
プロセッサが実行する方法において、
コンテンツにアクセスする要求クライアントからユニークパーシステント統一名称識別子の要求を受信し、ここで、前記要求はコンテンツのアクセスから誘起され、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
ユニークパーシステント統一名称識別子メニュー仕様を取得し、
ユニークパーシステント統一名称識別子ディレクトリからユニークパーシステント統一名称識別子記録情報を取得し、
前記ユニークパーシステント統一名称識別子メニュー仕様からメニューアイテムのユニークパーシステント統一名称識別子階層を生成し、ここで、前記ユニークパーシステント統一名称識別子メニュー仕様は前記ユニークパーシステント統一名称識別子メニューを形成するユニークパーシステント統一名称識別子記録情報からのバリューを特定するのに使用され、
エンドユーザーからユニークパーシステント統一名称識別子メニュー仕様の追跡を有効にし、
前記使用の追跡に基づいてユニークパーシステント統一名称識別子メニューアイテムを変更することを特徴とする方法。
【請求項１２７】
前記初期階層のレファレンスターゲット識別子及び関連メニューアイテム情報が有効であることを検証することを更に有することを特徴とする請求項１２６に記載の方法。
【請求項１２８】
メニューアイテムは複合媒体を含むことできることを特徴とする請求項１２６に記載の方法。
【請求項１２９】
前記メニューアイテムは購入を有効にするリンクであることを特徴とする請求項１２６に記載の方法。
【請求項１３０】
前記メニューアイテムの階層はバナー広告によって引き起こされることを特徴とする請求項１２６に記載の方法。
【請求項１３１】
前記メニューアイテムの階層はスポンサー広告リンクによって引き起こされることを特徴とする請求項１２６に記載の方法。
【請求項１３２】
前記メニューアイテムの階層は書類によって引き起こされることを特徴とする請求項１２６に記載の方法。
【請求項１３３】
変更は自動的に行われることを特徴とする請求項１２６に記載の方法。
【請求項１３４】
前記メニューエディタはメニューアイテムが使用可能となる方法を制限する使用量制限を表示することを特徴とする請求項１２６に記載の方法。
【請求項１３５】
前記使用制限は、メニューアイテムによって作られた幾つかのインプレッション、メニューアイテムが選択された回数、メニューアイテムが検討された時間量、メニューアイテム上を通過された回数のいかなるものをも含むことを特徴とする請求項１３４に記載の方法。
【請求項１３６】
変更は、より人気のあるメニューアイテムをより目立つように配置することを含むことを特徴とする請求項１１５に記載の方法。
【請求項１３７】
より目立つようにすることは、メニュー階層におけるより高い配置、メニュー階層の層内におけるより高い配置の幾つかのうちのいかなるものをも含むことを特徴とする請求項１２６に記載の方法。
【請求項１３８】
変更はメニューアイテムのスポンサー広告の配置を含むことを特徴とする請求項１２６に記載の方法。
【請求項１３９】
スポンサー広告の配置はコンテキストに基づいていることを特徴とする請求項１２６に記載の方法。
【請求項１４０】
前記コンテキストはメニューアイテムの階層においてメニューアイテムによってターゲットにされたレファレンスのコンテンツに基づいていることを特徴とする請求項１３９に記載の方法。
【請求項１４１】
ユーザーインターフェースを生成する、プロセッサが実行する方法において、
メニューアイテムの階層を生成するトリガーと共に埋め込まれた関与コンテンツに応答してメニューアイテムの使用を追跡し、ユーザーからのフィードバックとメニュー仕様からメニューアイテムの階層を生成し、メニューアイテムは複合媒体を含むことができ、メニューアイテムはバックエンドサーバーからの情報を含むことができ、前記メニューアイテムは購入を有効にするリンクであり、前記メニューアイテムの階層は広告によって引き起こされることを特徴とする方法。
【請求項１４２】
ユーザーインターフェースを生成する、プロセッサが実行する方法において、
メニューアイテムの階層を生成するトリガーと共に埋め込まれた関与コンテンツに応答してメニューアイテムの使用を追跡し、ユーザーからのフィードバックとメニュー仕様からメニューアイテムの階層を生成することを特徴とする方法。
【請求項１４３】
メニューアイテムは複合媒体を含むことできることを特徴とする請求項１４２に記載の方法。
【請求項１４４】
前記メニューアイテムは購入を有効にするリンクであることを特徴とする請求項１４２に記載の方法。
【請求項１４５】
前記メニューアイテムは生きた在庫品を含むことを特徴とする請求項１４２に記載の方法。
【請求項１４６】
前記メニューアイテムの階層はバナー広告によって引き起こされることを特徴とする請求項１４２に記載の方法。
【請求項１４７】
前記メニューアイテムの階層はスポンサー広告リンクによって引き起こされることを特徴とする請求項１４２に記載の方法。
【請求項１４８】
前記メニューアイテムの階層は書類によって引き起こされることを特徴とする請求項１４２に記載の方法。
【請求項１４９】
ユーザーインターフェースを生成する、プロセッサが実行する方法において、
セグメント選択部とターゲット中間層階層メニューを識別する情報を含む第１層の階層メニューレベルを生成し、
ブランド選択部とターゲット後層階層メニューを識別する情報を含む中間層の階層メニューレベルを生成し、
情報とターゲット同一ブランド取引を含む後層階層メニューレベルを生成し、
メニューアイテムは階層内に複合媒体を含んでもよく、前記メニューアイテムはバックエンドサーバーからの情報を含んでもよく、前記メニューアイテムは購入を有効にするリンクであり、メニューアイテムの階層は広告によって引き起こされることを特徴とする方法。
【請求項１５０】
ユーザーインターフェースを生成する、プロセッサが実行する方法において、
セグメント選択部とターゲット中間層階層メニューを識別する情報を含む第１層の階層メニューレベルを生成し、
ブランド選択部とターゲット後層階層メニューを識別する情報を含む中間層の階層メニューレベルを生成し、
情報とターゲット同一ブランド取引を含む後層階層メニューレベルを生成することを特徴とする方法。
【請求項１５１】
メニューアイテムは複合媒体を含むことできることを特徴とする請求項１５０に記載の方法。
【請求項１５２】
メニューを作成するシステムにおいて、
各メニューアイテムがレファレンスターゲット識別子を有するメニューアイテムの初期階層を作成する手段と、ここで、メニューアイテムは複合媒体を含むことができ、メニューアイテムはバックエンドサーバーからの情報を含むことができ、前記メニューアイテムは購入を有効にするリンクであり、前記メニューアイテムの階層は広告によって引き起こされ、
メニュー閲覧者が検討するために前記初期階層を分配する手段と、
前記初期階層のレファレンスターゲット識別子と関連メニューアイテム情報が有効であることを検証する手段と、
前記初期階層の前記メニュー閲覧者の使用の追跡を有効にする手段と、ここで、追跡はメニューアイテムによって作られる幾つかのインプレッションを含み、追跡はメニューアイテムが選択される回数を含み、
使用の追跡に基づいて前記初期階層において前記メニューアイテムを変更する手段と、変更はより人気のあるメニューアイテムをより目立つように配列することを含み、変更は効力を増加するためにメニューアイテムを配置することを含むことを特徴とする方法。
【請求項１５３】
メニューを作成するシステムにおいて、
コンテンツにアクセスする要求クライアントからユニークパーシステント統一名称識別子の要求を受信する手段と、ここで、前記要求はコンテンツのアクセスから誘起され、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
ユニークパーシステント統一名称識別子メニュー仕様を取得する手段と、
ユニークパーシステント統一名称識別子ディレクトリからユニークパーシステント統一名称識別子記録情報を取得する手段と、
ユニークパーシステント統一名称識別子メニュー仕様からユニークパーシステント統一名称識別子メニューを生成する手段と、ユニークパーシステント統一名称識別子メニュー仕様は、ユニークパーシステント統一名称識別子メニューを形成するユニークパーシステント統一名称識別子記録情報からのバリューを特定するのに使用され、メニューアイテムは複合媒体を含む場合があり、メニューアイテムはバックエンドサーバーからの情報を含んでもよく、前記メニューアイテムは購入を有効にするリンクであり、前記メニューアイテムの階層は広告によって引き起こされ、
前記初期階層のレファレンスターゲット識別子と関連メニューアイテム情報が有効であることを検証する手段と、
エンドユーザーからユニークパーシステント統一名称識別子メニュー仕様の追跡を有効にする手段と、追跡はメニューアイテムによって作られた幾つかのインプレッションを含み、追跡はメニューアイテムが選択された回数を含み、
前記使用の追跡に基づいてユニークパーシステント統一名称識別子メニューアイテムを変更する手段と、変更はより人気のあるメニューアイテムをより目立つように配置することを含み、変更は効率を増加するためにメニューアイテムを配置することを含むことを特徴とするシステム。
【請求項１５４】
ユーザーインターフェースを生成するシステムにおいて、
メニューアイテムの階層の生成のためのトリガーと共に埋め込まれた関与コンテンツに応答してメニューアイテムの使用を追跡し、ユーザーからのフィードバックとメニュー仕様からメニューアイテムの階層を生成する手段を有し、
メニューアイテムは複合媒体を含む場合があり、メニューアイテムはバックエンドサーバーからの情報を含んでもよく、前記メニューアイテムは購入を有効にするリンクであり、前記メニューアイテムの階層は広告によって引き起こされることを特徴とするシステム。
【請求項１５５】
ユーザーインターフェースを生成するシステムにおいて、
セグメント選択部とターゲット中間層階層メニューを識別する情報を含む第１層の階層メニューレベルを生成する手段と、
ブランド選択部とターゲット後層階層メニューを識別する情報を含む中間層の階層メニューレベルを生成する手段と、
情報とターゲット同一ブランド取引を含む後層階層メニューレベルを生成する手段とを有し、
メニューアイテムは複合媒体を含む場合があり、メニューアイテムはバックエンドサーバーからの情報を含んでもよく、前記メニューアイテムは購入を有効にするリンクであり、前記メニューアイテムの階層は広告によって引き起こされることを特徴とするシステム。
【請求項１５６】
メモリと、
前記メモリと通信するように配置され、前記メモリに格納された複数の処理命令を発行するように構成されたプロセッサとを有し、
前記命令は購入サイクルを圧縮する階層メニューを使用するためにユーザー及びシステムイベント信号に応答して前記プロセッサによって発行可能であることを特徴とする装置。
【請求項１５７】
メモリと、
前記メモリと通信するように配置され、前記メモリに格納された複数の処理命令を発行するように構成されたプロセッサとを有し、
前記命令は信号を発行し、当該信号は、
各メニューアイテムがレファレンスターゲット識別子を有するメニューアイテムの初期階層を作成し、ここで、メニューアイテムは複合媒体を含んでもよく、メニューアイテムはバックエンドサーバーからの情報を含んでもよく、前記メニューアイテムは購入を有効にするリンクであり、前記メニューアイテムの階層は広告によって引き起こされ、
メニュー閲覧者が検討するために前記初期階層を分配し、
前記初期階層のレファレンスターゲット識別子と関連メニューアイテム情報が有効であることを検証し、
前記初期階層の前記メニュー閲覧者の使用の追跡を有効にし、ここで、追跡はメニューアイテムによって作られる幾つかのインプレッションを含み、追跡はメニューアイテムが選択される回数を含み、
使用の追跡に基づいて前記初期階層において前記メニューアイテムを変更し、変更はより人気のあるメニューアイテムをより顕著に配列することを含み、変更は効力を増加するためにメニューアイテムを配置することを含むことを特徴とする装置。
【請求項１５８】
メモリと、
前記メモリと通信するように配置され、前記メモリに格納された複数の処理命令を発行するように構成されたプロセッサとを有し、
前記命令は信号を発行し、当該信号は、
コンテンツにアクセスする要求クライアントからユニークパーシステント統一名称識別子の要求を受信し、ここで、前記要求はコンテンツのアクセスから誘起され、前記ユニークパーシステント統一名称識別子はターゲットコンテンツアセットを識別し、前記ユニークパーシステント統一名称識別子は前記ターゲットコンテンツアセットに関連するコンテンツアイテムへの複数のレファレンスを有する多重識別子であり、
ユニークパーシステント統一名称識別子メニュー仕様を取得し、
ユニークパーシステント統一名称識別子ディレクトリからユニークパーシステント統一名称識別子記録情報を取得し、
前記ユニークパーシステント統一名称識別子メニュー仕様からメニューアイテムのユニークパーシステント統一名称識別子階層を生成し、ここで、前記ユニークパーシステント統一名称識別子メニュー仕様は前記ユニークパーシステント統一名称識別子メニューを形成するユニークパーシステント統一名称識別子記録情報からのバリューを特定するのに使用され、メニューアイテムは複合媒体を含んでもよく、メニューアイテムはバックエンドサーバーからの情報を含んでもよく、前記メニューアイテムは購入を有効にするリンクであり、前記メニューアイテムの階層は広告によって引き起こされ、
前記ユニークパーシステント統一名称識別子メニューのレファレンスターゲット識別子と関連メニューアイテム情報が有効であることを検証し、
エンドユーザーからユニークパーシステント統一名称識別子メニュー仕様の追跡を有効にし、追跡はメニューアイテムによって作られた幾つかのインプレッションを含み、追跡はメニューアイテムが選択された回数を含み、
前記使用の追跡に基づいてユニークパーシステント統一名称識別子メニューアイテムを変更し、変更はより人気のあるメニューアイテムをより目立つように配置することを含み、変更は効率を増加するためにメニューアイテムを配置することを含むことを特徴とする装置。
【請求項１５９】
メモリと、
前記メモリと通信するように配置され、前記メモリに格納された複数の処理命令を発行するように構成されたプロセッサとを有し、
前記命令は信号を発行し、当該信号は、
ユーザーとシステムイベント信号に応答して前記プロセッサによって発行可能であり、メニューアイテムの階層を使用するためのトリガーと共に埋め込まれた関与コンテンツに応答してのメニューアイテムの使用を追跡するユーザーからのフィードバックからとメニュー仕様からメニューアイテムの階層を使用することを特徴とする装置。
【請求項１６０】
メモリと、
前記メモリと通信するように配置され、前記メモリに格納された複数の処理命令を発行するように構成されたプロセッサとを有し、
前記命令はユーザー及びシステムイベント信号に応答して前記プロセッサによって発行可能であり、
セグメント選択部とターゲット中間層階層メニューを識別する情報を含む第１層の階層メニューレベルと、
ブランド選択部とターゲット後層階層メニューを識別する情報を含む中間層の階層メニューレベルと、
情報とターゲット同一ブランド取引を含む後層階層メニューレベルとを引き起こし、
メニューアイテムは複合媒体を含んでもよく、メニューアイテムはバックエンドサーバーからの情報を含んでもよく、前記メニューアイテムは購入を有効にするリンクであり、前記メニューアイテムの階層は広告によって引き起こされることを特徴とする装置。